【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
少なくとも１色の有彩色色剤と無彩色色材とを用いて、入力画像データで表される画像を印刷する画像形成装置に対して、各色材に対応する色成分の出力画像データを供給する画像出力装置であって、
前記入力画像データを、前記画像形成装置で使用される色材の色成分を含む画像データに変換する色分解手段と、
前記色分解手段により変換された前記色材の色成分を含む画像データの階調を補正する階調補正手段とを備え、
前記階調補正手段は、有彩色色材については、前記色分解手段により変換された中間画像データの値の変化に対する前記出力画像データの色の変化量が非線形の関係になり、前記中間画像データの変化に対する前記出力画像データの色の変化量が高明度領域から低明度領域に向けて増加するように、前記入力画像データを前記出力画像データに変換することを特徴とする画像出力装置。
【請求項２】
前記階調補正手段は、無彩色色材については、前記色分解手段により変換された中間画像データの値の変化に対する前記出力画像データの明度の変化量が線形の関係となるように前記入力画像データを前記出力画像データに変換することを特徴とする請求項１に記載の画像出力装置。
【請求項３】
前記色の変化量は明度の変化量であることを特徴とする請求項１または２記載の画像出力装置。
【請求項４】
前記色の変化量は彩度の変化量であることを特徴とする請求項１または２記載の画像出力装置。
【請求項５】
前記入力画像データの各色成分を、各色成分の値が同一の輝度値のモノクロ画像データに変換するモノクローム化手段と、
前記モノクローム化手段により変換されたモノクロ画像データの各色成分の値を、指定された値に調整する色調調整手段と
を更に備えることを特徴とする請求項１乃至４のいずれか１項に記載の画像出力装置。
【請求項６】
少なくとも１色の有彩色色材と無彩色色材とを用いて、入力画像データで表される画像を印刷する画像形成方法に対して、各色材に対応する色成分の出力画像データを供給する画像出力方法であって、
前記入力画像データを、前記画像形成方法の色材の色成分を含む画像データに変換する色分解工程と、
前記色分解工程により変換された前記色材の色成分を含む画像データの階調を補正するように変換する階調補正工程とを有し、
前記階調補正工程は、有彩色色材については、前記色分解工程により変換された中間画像データの値の変化に対し、色の変化量が非線形の関係となり、
前記中間画像データの変化に対する前記出力画像データの色の変化量が高明度領域から低明度領域に向けて増加するように、前記入力画像データを前記出力画像データに変換することを特徴とする画像出力方法。
【請求項７】
前記階調補正工程は、無彩色色材については、前記色分解工程により変換された中間画像データの値の変化に対する前記出力画像データの明度の変化量が線形の関係となるように前記入力画像データを前記出力画像データに変換することを特徴とする請求項６に記載の画像出力方法。
【請求項８】
前記色の変化量は明度の変化量であることを特徴とする請求項６または７記載の画像出力方法。
【請求項９】
前記色の変化量は彩度の変化量であることを特徴とする請求項６または７記載の画像出力方法。
【請求項１０】
前記入力画像データの各色成分を、各色成分の値が同一の輝度値のモノクロ画像データに変換するモノクローム化工程と、
前記モノクローム化工程により変換されたモノクロ画像データの各色成分の値を、指定された値に調整する色調調整工程と
を更に有することを特徴とする請求項６乃至９のいずれか１項に記載の画像出力方法。
【請求項１１】
請求項１乃至５のいずれか１項に記載された画像出力装置の各手段としてコンピュータを機能させるためのプログラム。
【請求項１２】
少なくとも１色の有彩色色材と無彩色色材とを用いて、入力画像データで表される画像を印刷する画像形成装置に対して、各色材に対応する色成分の出力画像データを供給する画像出力装置であって、該画像出力装置は、純黒調で用いる有彩色色材よりも有彩色色材の量が多いモノクロモードにおいて、
前記入力画像データを、前記画像形成装置で使用される色材の色成分を含む画像データに変換する色分解手段と、
前記色分解手段により変換された前記色材の色成分を含む画像データの階調を補正する階調補正手段とを備え、
前記階調補正手段は、有彩色色材の色成分を含む画像データの階調については、前記色分解手段により変換された画像データの中間値に対応する前記出力画像データの値が、前記出力画像データの最大値の半分以下となるように補正することを特徴とする画像出力装置。
【請求項１３】
少なくとも１色の有彩色色材と無彩色色材とを用いて、入力画像データで表される画像を印刷する画像形成方法に対して、各色材に対応する色成分の出力画像データを供給する画像出力装置による画像出力方法であって、該画像出力方法は、純黒調で用いる有彩色色材よりも有彩色色材の量が多いモノクロモードにおいて、
前記入力画像データを、前記画像形成方法の色材の色成分を含む画像データに変換する色分解工程と、
前記色分解工程により変換された前記色材の色成分を含む画像データの階調を補正するように変換する階調補正工程とを有し、
前記階調補正工程では、有彩色色材の色成分を含む画像データの階調については、前記色分解手段により変換された画像データの中間値に対応する前記出力画像データの値が、前記出力画像データの最大値の半分以下となるように補正することを特徴とする画像出力方法。
【手続補正２】
【補正対象書類名】明細書
【補正対象項目名】０００９
【補正方法】変更
【補正の内容】
【０００９】
少なくとも１色の有彩色色材と無彩色色材とを用いて、入力画像データで表される画像を印刷する画像形成装置に対して、各色材に対応する色成分の出力画像データを供給する画像出力装置であって、
前記入力画像データを前記画像形成装置で使用される色材の色成分を含む画像データに変換する色分解手段と、
前記色分解手段により変換された前記色材の色成分を含む画像データの階調を補正する階調補正手段とを備え、
前記階調補正手段は、有彩色色材については、前記色分解手段により変換された中間画像データの値の変化に対する前記出力画像データの色の変化量が非線形の関係になり、
前記中間画像データの変化に対する前記出力画像データの色の変化量が高明度領域から低明度領域に向けて増加するように、前記入力画像データを前記出力画像データに変換することを特徴とする画像出力装置。
あるいは、少なくとも１色の有彩色色材と無彩色色材とを用いて、入力画像データで表される画像を印刷する画像形成装置に対して、各色材に対応する色成分の出力画像データを供給する画像出力装置であって、該画像出力装置は、純黒調で用いる有彩色色材よりも有彩色色材の量が多いモノクロモードにおいて、
前記入力画像データを前記画像形成装置で使用される色材の色成分を含む画像データに変換する色分解手段と、
前記色分解手段により変換された前記色材の色成分を含む画像データの階調を補正する階調補正手段とを備え、
前記階調補正手段は、有彩色色材の色成分を含む画像データの階調については、前記色分解手段により変換された画像データの中間値に対応する前記出力画像データの値が、前記出力画像データの最大値の半分以下となるように補正する。